(57)【特許請求の範囲】
【請求項１】
複数の分岐ブレーカを搭載した主分電盤モジュールに、単一の分岐ブレーカを搭載した増設用分電盤モジュールを両モジュールに配置した母線バー同士を直接に接続・分離可能に形成して増設用分電盤モジュールを増設・削減できるようにしたことを特徴とする分電盤。
【請求項２】
主分電盤モジュールに配置した母線バーを筐体外部に延出させて、該延出部をプラグ端子金具とし、増設用分電盤モジュールに配置した母線バーの前記プラグ端子金具に臨む箇所を該プラグ端子金具に対応したプラグ端子金具に形成して、両モジュールを取付固定レール部材に取り付けた請求項１に記載の分電盤。
【発明の詳細な説明】
【技術分野】
【０００１】
本発明は、大型のキャビネットを使用することなく、分岐ブレーカを増設できる分電盤に関するものである。
【背景技術】
【０００２】
分電盤は安全上及び保安上の観点からキャビネット内に主幹用及び分岐ブレーカを収納しているが、回路の増設を予測して分岐ブレーカの増設用スペースのある大きさのキャビネットを使用するとともに予め増設用ブレーカの一次側端子と接続するための余長部分のある主幹バーを設置しているのを普通とする。
しかし、分岐ブレーカの増設用スペースのあるキャビネットを使用することは、回路の増設を不要となるものにおいては製造コストの高い余分な大きさのキャビネットを使用して初期投資に余分な費用をかけるものである。
【０００３】
この問題を解決した分電盤として、前記した増設用ブレーカの一次側端子と接続するための余長部分を無くして、分岐ブレーカを増設する時に増設用の分岐ブレーカに一次側端子と接続する主幹バーの延長部が形成されるようにしたものが知られている（例えば、特許文献１参照）。
【０００４】
しかしながら、前記した特許文献１のものは増設用の分岐ブレーカの一次側端子と接続する主幹バーの余長部分についての問題点を解決したものではあるが、回路の増設を予測して分岐ブレーカの増設用スペースのある大きさのキャビネットを用意しなければならないという問題は残されていた。
【特許文献１】実開平６−７０４０４公開公報
【発明の開示】
【発明が解決しようとする課題】
【０００５】
本発明は前記のような従来の問題点を解決して、分岐ブレーカを容易にかつ安全に増設、削減できる分電盤を提供することである。
【課題を解決するための手段】
【０００６】
本発明の分電盤は、複数の分岐ブレーカを搭載した主分電盤モジュールに、単一の分岐ブレーカを搭載した増設用分電盤モジュールを両モジュールに配置した母線バー同士を直接に接続・分離可能に形成して増設用分電盤モジュールを増設・削減できるようにしたことを特徴とするものを基本の発明とする。
【０００７】
また、この発明において、主分電盤モジュールに配置した母線バーを筐体外部に延出させて、該延出部をプラグ端子金具とし、増設用分電盤モジュールに配置した母線バーの前記プラグ端子金具に臨む箇所を該プラグ端子金具に対応したプラグ端子金具に形成して、両モジュールを取付固定レール部材に取り付けることが好ましい。
【発明の効果】
【０００８】
前記した本発明の分電盤は、複数の分岐ブレーカを搭載した主分電盤モジュールに、単一の分岐ブレーカを搭載した増設用分電盤モジュールを増設・削減できるようにしたものであるから、主分電盤モジュールに搭載した分岐ブレーカの個数では回路が不足する状況が生じた時は増設用分電盤モジュールの必要数を順次増設することにより対応できるので分岐ブレーカの増設が容易なものである。そして、両モジュールに配置した母線バー同士は直接に接続・分離可能に形成しているので母線バー同士の接続作業は容易に行うことができる。
【０００９】
また、主分電盤モジュールに配置した母線バーを筐体外部に延出させて、該延出部をプラグ端子金具とし、増設用分電盤モジュールに配置した母線バーの前記プラグ端子金具に臨む箇所を該プラグ端子金具に対応したプラグ端子金具に形成して、両モジュールを取付固定レール部材に取り付けものとすれば、主分電盤モジュールが取り付けられている取付固定レール部材に増設用分電盤モジュールを取り付ければプラグ端子金具同士が同時に接続されて母線バー同士が接続されるものである。このように、分岐ブレーカの増設は部品点数が少なく構造が簡単で安価に製造できる取付固定レール部材に増設用分電盤モジュールを取り付けることにより行えるので予め大きな筐体を使用する必要がないので初期投資を軽減できる効果がある。
【発明を実施するための最良の形態】
【００１０】
次に、本発明の好ましい実施の形態を図に基づき説明する。
図１において、１は主幹ブレーカ２と複数の分岐ブレーカ３を搭載した主分電盤モジュールである。４は単一の分岐ブレーカ３を搭載した増設用分電盤モジュールであり、該増設用分電盤モジュール４は前記主分電盤モジュール１に増設・削減できるものである。すなわち、両モジュール１、４はそれぞれに配置した母線バー５、５同士を直接に接続・分離可能に形成して主分電盤モジュールに増設用分電盤モジュール４を増設・削減できるようにして回路を増減できるものとしている。
【００１１】
この実施形態においては、図７に示すように主分電盤モジュール１に配置した母線バー５を筐体１０の底面から外部に延出させて、該延出部５１にバネ板よりなるプラグ受金式のプラグ端子金具５１ａを取り付けて、図４、図１５及び図１９に示すように増設用分電盤モジュール４に配置した母線バー５の前記プラグ端子金具５１ａに臨む箇所を該プラグ端子金具５１ａに対応した差込刃式としたプラグ端子金具５１ｂが簡単に接続・分離できるものとしている。
【００１２】
そして、主分電盤モジュール１と増設用分電盤モジュール４は取付固定レール部材６に着脱自在に取り付けられている。この取付固定レール部材６は図３及び図９に示すように外鍔６１ａ付の断面コ字型のレール本体６１を基台６０に縦長方向に立設させた自立型のものが好ましいが、基台６０を設けることなくレール本体６１を建屋の壁面に固定したものであってもよい。
【００１３】
前記主分電盤モジュール１を構成する筐体１０は、背面側を突出させた横断面形状が凸形状で前面を開口させた筐体本体１１と該開口を閉塞自在とする逆箱状の片開き式の扉１２よりなるものとしている。また、扉１２の開口端側に位置する側板部１２１の端面と筐体本体１１との当接箇所に分岐ブレーカ３の負荷側電線の出線部を設けている。この出線部は側板部１２１の先端側から上下に一連の切欠部１２１ａを設けて、側板部１２１の切欠部１２１ａの端面と筐体本体１１との当接箇所に一連にウレタンゴムのような弾性材１２２、１２２を取り付けて該弾性材のもつ弾性変形により負荷側電線を挟持するものとしており、負荷側電線の保持や粉塵の侵入を防ぐことができるものである。なお、出線部をこのような構成とすることにより負荷側電線の数の変動に対応できるものである。
【００１４】
また、筐体本体１１には上下方向に３本の母線バー５が幅面を正面に向けて配設されている。この各母線バー５には所要の間隔をおいてバネ板よりなるプラグ受金式のプラグ端子金具５１ａがねじ止めにより取り付けられており、図１０、図１１に示す分岐ブレーカ３を搭載したプラグインアダプタ３１の下端面から突設した差込刃式のプラグ端子３１ａを嵌合するものとしている。
【００１５】
また、筐体本体１１の上方には主幹ブレーカ２が配置されており、図２に示しように負荷側端子部２１を前記母線バー５と接続バー２２を介して電気的に接続し、電源側端子は背面に延びるリードバー２３に接続して、該リードバーに筐体１０の背面に設けた電源線引き込み口から引き込んだ電源用電線が接続されている。また、母線バー５の両外側には一対の内部レール７、７が設けられており、該内部レール７、７の前端面には前記プラグ端子金具５１ａに対応した挿通孔８１を配設した絶縁プレート８がねじ止めされて前記母線バー５を覆うように取り付けられている。なお、絶縁プレート８は１つの分岐ブレーカ５に対応したものを複数取り付けているが、複数の分岐ブレーカ５に対応した大きさものであってもよい。
【００１６】
分岐ブレーカ３はプラグインアダプタ３１に搭載されて、該プラグインアダプタ３１の下端面から突設したプラグ端子３１ａを前記絶縁プレート８に透設した挿通孔８１を介して貫通させて母線バー５に取り付けたプラグ端子金具５１ａに挟持させて、分岐ブレーカ３の一次側端子と母線バー５の電気的接続を行っている。なお、プラグインアダプタ３１を介することなく分岐ブレーカ３の裏面に直接プラグ端子３１ａを突設したものであってもよい。また、分岐ブレーカはプラグインによらず被覆電線又は分岐バーによりネジ止め等の手段により分岐ブレーカ３と母線バー５の接続を行ってもよい。
【００１７】
また、筐体１０の外部に延出させた母線バー５の延出部５１とこれに取り付けたプラグ端子金具５１ａは図６、図８に示すように樹脂製の絶縁ケース９で覆って、該絶縁ケース９にプラグ端子金具５１ａに対応する箇所に増設用分電盤モジュール４に配置した母線バー５の差込刃式としたプラグ端子金具５１ｂが介入できる切込９ａを設けて絶縁を確保してプラグ端子金具５１ｂが簡単に接続・分離できるものとしている。
【００１８】
次に、図１４及び図１５に示す増設用分電盤モジュール４を説明する。この増設用分電盤モジュール４を構成する筐体４０は図１６、図１７に示すように下方に母線バーケース４２を設けた取付基台４１に逆箱状の扉４３をヒンジ部により開閉自在として設けたものである。なお、扉４３はヒンジ連結することなく取り外し自在としてもよいし、さらに、取付基台４１を箱状とし、扉４３を板状としてもよい。また、前記取付基台４１の下方に設けた母線バーケース４２は、図１９に示す短い母線バー５を幅面を正面に向けて収納する浅箱状の母線バーケース本体４２ａと図１６、図１７に示す母線バーケース本体４２ａの上部開口を閉塞する取付基台４１と一体とした蓋部４２ｂより構成して、該蓋部４２ｂを取付基台４１の下方に位置するものとしている。
【００１９】
そして、筐体４０には図１６〜図１８に示すように分岐ブレーカ３が取付基台４１に取り付けて該ブレーカ３の一次側を前記母線バー５に接続している。すなわち、図示のものは分岐ブレーカ３をプラグインアダプタ３１に搭載して図示を略した一次側の端子部と接続した該プラグインアダプタ３１の下端面から突設したプラグ端子３１ａを前記取付基台４１に透設した挿入孔４１ａを介して貫通させて母線バー５に設けたばね板よりなるプラグ端子金具５ｃに挟持させて、分岐ブレーカ３と母線バー５の接続をプラグ端子３１ａによって行っている。なお、プラグインアダプタ３１を介することなく分岐ブレーカ３の裏面に直接プラグ端子３１ａを突設したものであってもよい。また、プラグインによらず被覆電線又は分岐バーによりネジ止め等の手段により分岐ブレーカ３と母線バー５の接続を行ってもよい。
【００２０】
また、前記母線バーケース４２は母線バー５に張設した差込刃式のプラグ端子金具５１ｂ側の一端面側を、取付基台４１の一端面側からプラグ端子金具５１ａの長さ分を内側に位置させ、他方該一端面側に対向した他端面をその分取付基台４１の他端面側から外側に位置させて、プラグ端子金具５１ｂの上端側が庇状となる取付基台４１の一端面側により覆われるものとしている。
【００２１】
また、母線バーケース４２の一端面側に対向した他端面側の蓋部４２ｂは取付基台４１の他端面側の下方から露出するので、プラグ端子受部５１ａを該蓋部４２ｂの上側から設けた切り込み孔４４に臨むように設ければ、隣り合うこととなる増設用分電盤モジュール４の各母線バー５の接続プラグ端子部５１ａとプラグ端子受部５１ｂの接続が容易であるうえ接続プラグ端子部５１ａが露出することがないので絶縁が確保できるものである。
【００２２】
さらに、増設用分電盤モジュール４を構成する筐体４０の分岐ブレーカ３の負荷側端子部が臨む取付基台４１の側縁に立上げて側板部４１１を設け、該側板部４１１の端面と当接する取付基台４１に開閉自在又は着脱自在に設けた逆箱状の扉４３の負荷側端子部が臨む側板部４３１の端面との間にブレーカの負荷側電線の引き込み部を形成したので配線作業が容易であり、さらに、この引き込み部は図示のものは取付基台４１の側板部４１１の端面と扉４３の側板部４３１の端面とに一連にウレタンゴムのような弾性材４３３を取り付けて該弾性材のもつ弾性変形により負荷側電線を挟持するものとしており、負荷側電線の保持や粉塵の侵入を防ぐことができるものである。なお、上記構成はブレーカ３の端子数に応じて負荷電線の数の変動に対応できるものであるが、側板部４１１の端面に凹部を形成してパッキン材を装着したものであってもよい。また、取付基台４１を箱状とし、扉４３を板状とした場合には、取付基台４１の側板部４１１は開口より下がった位置となり、扉４３の側板部４３１の端面は対応して突出した位置となる。
【００２３】
なお、前記取付固定レール部材６は、外鍔６１ａに取付孔６１ｂを配設して主分電盤モジュール１及び増設用分電盤モジュール４を容易に取付できるものとし、レール本体６１の背面上部に電源線引き込み用の窓孔６１ｃを電源線挿通口６３ａを下端に設けた配線カバー６３により閉塞するように形成している。さらに、レール本体６１の外側面にはアース端子バー６４が設けられている。また、レール本体６１の背面外側には入力電源線及び負荷側配線を保持する電線支持バー６５が上下に間隔をおいて複数配設されている。
【００２４】
このように構成されたものは、取付固定レール部材６の上部に図１、図３及び図５に示すように、入力電源線と接続する主幹ブレーカ２と複数の分岐ブレーカを搭載した主分電盤モジュール１を取り付ける。
【００２５】
そして、前記主分電盤モジュール１の下方に順次増設分電盤モジュール４を隣り合うこととなる各母線バー５のプラグ受具式のプラグ端子金具５１ａと差込刃式のプラグ端子金具５１ｂを接続して取付固定レール部材６に取り付ければ必要な回路数に応じた分岐ブレーカの増設ができるものである。しかも、分岐ブレーカの増設は部品点数が少なく構造が簡単で安価に製造できる取付固定レール部材６に増設分電盤モジュール４を取り付けることで行えるので初期投資を軽減できる効果がある。また、分岐ブレーカ３は筐体４０に収納されているうえ各母線バー５は母線バーケース４２に格納されているので導電部が露出されておらず安全上及び保安上も優れたものである。また、分岐ブレーカ３を削減する場合には増設分電盤モジュール４を取り外すことにより不要な導電部を残すことなく行えるので絶縁処理等の後処理が不要なものである。
【図面の簡単な説明】
【００２６】
【図１】本発明の実施形態を示す斜視図である。
【図２】本発明の実施形態を主幹ブレーカの接続バーを露出させて示す斜視図。
【図３】増設分電盤モジュールを増設する工程を示す斜視図。
【図４】増設分電盤モジュールを増設する工程を示す拡大斜視図。
【図５】本発明の実施形態の全体を示す斜視図。
【図６】主分電盤モジュールを示す斜視図。
【図７】主分電盤モジュールの母線バーの延出部を示す斜視図。
【図８】主分電盤モジュールの母線バーの延出部を絶縁ケースで覆った状態で示す斜視図。
【図９】取付固定レール部材を示す図であり、（Ａ）は正面側斜視図、（Ｂ）は背面側斜視図。
【図１０】プラグインアダプタに搭載した分岐ブレーカを上方から見た斜視図。
【図１１】プラグインアダプタに搭載した分岐ブレーカを下方から見た斜視図。
【図１２】プラグインアダプタを上方から見た斜視図。
【図１３】プラグインアダプタを下方から見た斜視図。
【図１４】増設分電盤モジュールを上方から見た斜視図。
【図１５】増設分電盤モジュールを下方から見た斜視図。
【図１６】増設分電盤モジュールを扉を開いて示す斜視図。
【図１７】増設分電盤モジュールを扉を開いてプラグインアダプタに搭載した分岐ブレーカを外して示す斜視図。
【図１８】増設分電盤モジュールを扉を開いてプラグインアダプタに搭載した分岐ブレーカを外して示す斜視図。
【図１９】増設分電盤モジュールの母線ケース本体を示す斜視図。
【符号の説明】
【００２７】
１  主分電盤モジュール
10  筐体
２  主幹ブレーカ
３  分岐ブレーカ
４  増設用分電盤モジュール
40  筐体
５  母線バー
51  延出部
51a  プラグ端子金具
51b  プラグ端子金具
６  取付固定レール部材
【図１】
0004807843.tif 000002
【図２】
0004807843.tif 000003
【図３】
0004807843.tif 000004
【図４】
0004807843.tif 000005
【図５】
0004807843.tif 000006
【図６】
0004807843.tif 000007
【図７】
0004807843.tif 000008
【図８】
0004807843.tif 000009
【図９】
0004807843.tif 000010
【図１０】
0004807843.tif 000011
【図１１】
0004807843.tif 000012
【図１２】
0004807843.tif 000013
【図１３】
0004807843.tif 000014
【図１４】
0004807843.tif 000015
【図１５】
0004807843.tif 000016
【図１６】
0004807843.tif 000017
【図１７】
0004807843.tif 000018
【図１８】
0004807843.tif 000019
【図１９】
0004807843.tif 000020